(57)【特許請求の範囲】
【請求項１】
表示部（４）と、複数の操作キー（１１）と、受話スピーカ（３）と、通話者の発声する音声を電気信号に変換するマイクロフォン（９）と、を筐体（１）の正面に有する携帯電話機において、
ハンズフリー使用時に音声を出力するハンズフリースピーカ（８）が設けられると共に前記筐体の正面に沿って摺動するスライド機構により取り付けられた蓋部（７）と、
前記蓋部が前記操作キーを覆う第１の状態にあるか、前記操作キーが操作できる範囲に開く第２の状態にあるか、前記蓋部が受話スピーカ３を覆う第３の状態にあるか、を検出するモード検出部（１２、１３）と、
このモード検出部で第１の状態を検出したときは前記ハンズフリー用スピーカにより受話音を再生し、第２の状態を検出したときは前記受話スピーカにより受話音を再生し、
第３の状態を検出したときはハンズフリー用スピーカの音量を受話スピーカ相当の音量に小さくして受話音を再生するスピーカ切り替え部（１６）と、
を具備することを特徴とする携帯電話機。
【発明の詳細な説明】
【０００１】
【発明の属する技術分野】
本発明は、携帯電話機を手に持たないで通話するハンズフリー（ｈａｎｄｓ  ｆｒｅｅ）機能を有する携帯電話機に関し、特に明瞭な通話を実現するハンズフリー用スピーカの携帯電話機における設置位置の改良に関する。
【０００２】
【従来の技術】
従来、ハンズフリー機能を有する携帯電話機は、携帯電話機のスペース上の制約から、ハンズフリー用スピーカを液晶表示部と操作部を有する携帯電話機本体の正面ではなく、裏面に設けていた。特に、携帯電話システムを、画像情報を授受するいわゆるテレビ電話として利用しようとする場合、前記液晶表示部をさらに大型化することが望ましく、かかる場合、携帯電話機のスペース上の制約がさらに大きくなることが避けられない。
【０００３】
【発明が解決しようとする課題】
しかし、ハンズフリー用スピーカが携帯電話機の裏面に設けられていると、音響出力方向が操作者とは反対側になるため、受話音の指向性が後方に広がり、明瞭度が低下するという課題があった。
【０００４】
本発明は上述する課題を解決するもので、限られた正面の面積しかない携帯電話機、特にテレビ電話として用いるべく大型の液晶表示部が設けられた携帯電話機であっても、受話音の明瞭な携帯電話機を提供することを目的とする。
【０００５】
【課題を解決するための手段】
上記課題を解決する本発明の携帯電話機は、表示部（４）と、複数の操作キー（１１）と、受話スピーカ（３）と、通話者の発声する音声を電気信号に変換するマイクロフォン（９）と、を筐体（１）の正面に有する携帯電話機において、ハンズフリー使用時に音声を出力するハンズフリースピーカ（８）が設けられると共に前記筐体の正面に沿って摺動するスライド機構により取り付けられた蓋部（７）と、前記蓋部が前記操作キーを覆う第１の状態にあるか、前記操作キーが操作できる範囲に開く第２の状態にあるか、前記蓋部が受話スピーカ３を覆う第３の状態にあるか、を検出するモード検出部（１２、１３）と、このモード検出部で第１の状態を検出したときは前記ハンズフリー用スピーカにより受話音を再生し、第２の状態を検出したときは前記受話スピーカにより受話音を再生し、第３の状態を検出したときはハンズフリー用スピーカの音量を受話スピーカ相当の音量に小さくして受話音を再生するスピーカ切り替え部（１６）と、を具備することを特徴とする。
【０００６】
このように構成された装置において、ハンズフリー用スピーカ８は前記蓋部７が前記操作キー１１を覆う状態で、前記筐体１の正面に位置するように構成されているので、ハンズフリー用スピーカ８で受話音を再生する場合に、ハンズフリー状態で通常受話者の耳が位置する方向に向けて音響出力がなされる。従って、受話音が明瞭に再生される。
【０００９】
このように構成された装置においては、蓋部７が操作キー１１を覆う状態ではハンズフリー用スピーカ８により受話音を再生し、操作キー１１が操作できる範囲に開く状態では受話スピーカ３により受話音を再生することで、ハンズフリーと通常携帯電話機との自動切換えが行なえる。
【００１０】
【発明の実施の形態】
以下、図面を用いて本発明の実施の形態を説明する。
図１は本発明の第１の実施の形態を説明する構成斜視図で、（Ａ）は蓋部７を開いて操作キー１１が操作できる状態、（Ｂ）は、蓋部７が操作キー１１を覆う状態を示している。この携帯電話機は、ハンズフリー通話機能を備えており、全二重もしくは半二重で通話できるものである。図において、筐体１は、略矩形をしており、上側面にアンテナ２を有し、正面に受話スピーカ３、液晶表示部４、通話キー５、終話キー６、操作キー１１、マイクロフォン９を有すると共に、正面下側端部に蓋部７を軸支するヒンジ１０が設けられている。蓋部７では、ピン１２が操作キー１１と対向する面に設けられ、ハンズフリー用スピーカ８が蓋部７によって操作キー１１が覆われた状態で筐体正面に現れる面に設けられている。操作キー１１が取り付けられた筐体１の左下縁部には、蓋部７が操作キー１１を覆った状態でピン１２と係合する小穴１５が設けられている。
【００１１】
アンテナ２は、携帯電話機と基地局との間で特定周波数帯域の電波により交信を行なうものである。受話スピーカ３は、通常携帯電話機として受話音を再生するのに適した音量を発生する。液晶表示部４は、操作キー１１で入力した電話番号や着呼の際の相手先電話番号を表示する。通話キー５は、携帯電話機で通話を開始する際に通話者が押すものである。終話キー６は、通話を終了する際に通話者が押すものである。蓋部７は、操作キー１１を覆う状態に閉じたり、操作キー１１が操作できる状態に開くものである。
【００１２】
ハンズフリー用スピーカ８は、ハンズフリー携帯機として受話音を再生するのに適した音量を発生するもので、受話スピーカ３に比較して大きな音量を出力する。マイクロフォン９は、通話者の発声する音声を電気信号に変換するもので、蓋部７の開閉に拘わらず常に正面を向いている。ヒンジ１０は、蓋部７を本体１に対して開閉自在に軸支する。操作キー１１は、通話先電話番号を入力する数字キーや制御用のキーを有するもので、ここでは４行４列の総計１６個のキーが配置されている。ピン１２と小穴１５は、蓋部７が操作キー１１を覆う状態か、操作キー１１を操作できる状態に開いているか、検出するものである。
【００１３】
図２は図１の装置の要部断面図で、蓋部７が操作キー１１を覆う状態か、操作キー１１を操作できる状態に開いているか検出する機構を示している。図において、キー操作部筐体１４は、操作キー１１の設けられた面で、小穴１５を有している。スイッチ１３は、小穴１５のキー操作部筐体１４内部に設けられてもので、ピン１２によって押下されているか否かに応じてオン／オフ信号を出力する。スピーカ切り替え部１６は、スイッチ１３から送られるオン／オフ信号に従い、蓋部７が操作キー１１を覆う状態ではハンズフリー用スピーカ８を選択し、蓋部７が操作キー１１を操作できる状態に開いている場合には受話スピーカ３を選択する。
【００１４】
このように構成された装置の動作を次に説明する。まず、着呼時の動作について説明する。蓋部７が操作キー１１を覆う状態で、待機時に呼び出しを受けると、通話者は通話キー５を押下する。すると、スピーカ切り替え部１６によりハンズフリー用スピーカ８が選択されて、ハンズフリー状態で着呼してハンズフリー用スピーカ８から音声が聞こえ、受話スピーカ３から音声が聞こえない。また、この状態で、蓋部７を開くと通常の通話状態で着呼し、受話スピーカ３から音声が聞こえ、ハンズフリー用スピーカ８からの音声が停止する。
【００１５】
次に、蓋部７が操作キー１１を操作できる状態に開いている場合に、待機時に呼び出しを受けると、通話者は通話キー５を押下する。すると、スピーカ切り替え部１６により受話スピーカ３が選択されて、通常の通話状態で着呼して受話スピーカ３から音声が聞こえ、ハンズフリー用スピーカ８から音声が聞こえない。また、この状態で、蓋部７を閉じるとハンズフリー状態で着呼し、ハンズフリー用スピーカ８から音声が聞こえ、受話スピーカ３からの音声が停止する。
【００１６】
次に、通話中の動作について説明する。ハンズフリー状態で通話中に蓋部７を開けると、通常の通話状態に移行する。逆に、通常の通話状態で通話中に蓋部７を閉じると、ハンズフリー状態の通話状態に移行する。
次に、終話時の動作について説明する。ハンズフリー状態、若しくは通常の通話状態であっても、終話キー６を押下すると終話する。
【００１７】
次に、発呼時の動作について説明する。蓋部７が操作キー１１を覆う状態と、操作キー１１を操作できる状態に開いている場合のどちらでも、待機時に通話キー５を押下すると発呼する。
【００１８】
図３は本発明の第２の実施の形態を説明する構成斜視図である。図１と相違する構成要素について説明すると、ヒンジ１０を用いた開閉式の蓋部７に代えて、摺動式のスライド式蓋部１７を設けたものである。スライド式蓋部１７は、筐体１の側面に設けられた案内溝１８に沿って、筐体正面の長手方向に摺動すると共に、ハンズフリー用スピーカ８が設けられている。
【００１９】
このように構成された装置において、スライド式蓋部１７が操作キー１１を覆う状態ではハンズフリー用スピーカ８が選択され、スライド式蓋部１７が操作キー１１を操作できる状態に開いている場合には受話スピーカ３が選択される。なお、スライド式蓋部１７が操作キー１１を操作できる状態に開いている場合に、スライド式蓋部１７が受話スピーカ３を覆うように構成されているときは、ハンズフリー用スピーカ８の音量を受話スピーカ３相当の音量に小さくする構成としてもよい。
【００２０】
尚、図1に示す実施の形態においては蓋部が操作キーを覆う状態と、操作キーを操作できる状態に開いている場合のどちらにあるかの検出を、ピンとスイッチを用いて検出する構成を示したが、本発明はこれに限定されるものではなく、フォトカプラ等の光学式や、静電容量式などの近接スイッチのように、蓋部と操作キーの位置関係を検出できるものであればよい。
【００２１】
また、上記実施の形態においては音声専用の携帯電話機の構成を示したが、本発明はこれに限定されるものではなく、テレビ電話用携帯電話機に用いてもよい。テレビ電話用携帯電話機では、受話スピーカ３に代えてカメラが設置され、液晶表示部４には通話相手の映像が表示され、通話相手の音声がハンズフリー用スピーカ８より発声される。
【００２２】
なお、テレビ電話用携帯電話機の場合、ＰＨＳ（Ｐｅｒｓｏｎａｌ  Ｈａｎｄｙｐｈｏｎｅ  Ｓｙｓｔｅｍ）では３２ｋｂｐｓのディジタル伝送速度を有するため、音声情報用に８ｋｂｐｓを割り当てると、画像情報用に２４ｋｂｐｓを割り当てることができる。２４ｋｂｐｓの場合、１秒間に２画面の画像伝送が行なえるので、商用のテレビジョン放送が１秒間に３０画面であることを考慮すると、テレビ電話としての実用に耐えるものである。ここで、テレビ電話用携帯電話機の場合、従来の音声用携帯電話機に比較すると、ＣＣＤカメラや画像表示用の大画面の液晶表示部が必要となり、限られた面積しかない携帯電話機では必然的にハンズフリー用スピーカを携帯電話機本体の正面に設けることが困難なので、本実施の形態のようにテレビ電話用携帯電話機の蓋部にハンズフリー用スピーカを設置することは、極めて有効である。
【００２３】
【発明の効果】
以上説明したように、本発明の携帯電話機によれば、ハンズフリー用スピーカは蓋部が操作キーを覆う状態で、筐体の正面に位置するように構成されているので、ハンズフリー用スピーカで受話音を再生する場合に、ハンズフリー状態で通常受話者の耳が位置する方向に向けて音響出力がなされるため、受話音が明瞭に再生されるという効果があり、特に、限られた面積に多数の機能を搭載する携帯電話機に用いて好適である。
また、電話機筐体の一部を構成する蓋部のスライドによって、ハンズフリー通話と通常の通話の選択が行なえ、通話者の操作が簡便になるという特有の効果がある。
【図面の簡単な説明】
【図１】  本発明の第１の実施の形態を説明する構成斜視図である。
【図２】  図１の装置の要部断面図である。
【図３】  本発明の第２の実施の形態を説明する構成斜視図である。
【符号の説明】
１  筐体
２  アンテナ
３  受話スピーカ
４  液晶表示部
７  蓋部
８  ハンズフリー用スピーカ
９  マイクロフォン
１０  ヒンジ
１１  操作キー
１２  ピン
１５  小穴
１６  スピーカ切り替え部
【図１】
0003763995.tif 000002
【図２】
0003763995.tif 000003
【図３】
0003763995.tif 000004